(57)【要約】【課題】電子調理器具用調理容器に関する発明が開示される。【解決手段】前記電子調理器具用調理容器は、熱風の流入が行われる入口部を具備するハウジング部と、ハウジング部に置かれ、熱風によって調理される調理対象物が置かれる台座部とを具備することを特徴とする。【選択図】図１
2014217737.tif 000002
【特許請求の範囲】
【請求項１】
熱風の流入が行われる入口部を具備するハウジング部と、
前記ハウジング部に置かれ、熱風によって調理される調理対象物が置かれる台座部とを含むことを特徴とする電子調理器具用調理容器。
【請求項２】
前記台座部を覆って熱風の移動を遮断する蓋部をさらに含むことを特徴とする請求項１に記載の電子調理器具用調理容器。
【請求項３】
前記ハウジング部は、
前記入口部が下側に具備され、上側は開口した形状に形成されるハウジング本体と、
前記ハウジング本体を支持する脚部とを含むことを特徴とする請求項１に記載の電子調理器具用調理容器。
【請求項４】
前記ハウジング本体は、
前記台座部の周縁を支持し、下側に延びるハウジング側面部と、
前記ハウジング側面部の下側から前記ハウジング側面部の内側に延びるハウジング底面部と、
前記ハウジング底面部から上側に延びて前記入口部に連結されるハウジング内側部とを含むことを特徴とする請求項３に記載の電子調理器具用調理容器。
【請求項５】
前記ハウジング側面部は、曲面形状に形成され、前記ハウジング本体の内側に向かって下方傾斜して設けられることを特徴とする請求項４に記載の電子調理器具用調理容器。
【請求項６】
前記ハウジング本体の上側は、前記ハウジング本体の側方向から熱風を供給する熱風供給部と同一または高い位置に設けられることを特徴とする請求項５に記載の電子調理器具用調理容器。
【請求項７】
前記ハウジング底面部は、環形状に形成され、前記ハウジング底面部に前記脚部が設けられることを特徴とする請求項４に記載の電子調理器具用調理容器。
【請求項８】
前記ハウジング内側部の内側には、前記入口部と連通する流入空間部が具備され、
前記流入空間部と向き合う前記ハウジング内側部は、膨らんだ曲面形状に形成されることを特徴とする請求項４に記載の電子調理器具用調理容器。
【請求項９】
前記ハウジング本体は、
前記流入空間部と向き合う前記ハウジング内側部の側面に螺旋形状に突出し、熱風の回転を案内するガイド突起をさらに含むことを特徴とする請求項８に記載の電子調理器具用調理容器。
【請求項１０】
前記ハウジング部は、
前記入口部が側面に沿って具備され、上側は開口した形状に形成されるハウジング本体と、
前記ハウジング本体の下側を支持する脚部とを含むことを特徴とする請求項１に記載の電子調理器具用調理容器。
【請求項１１】
前記ハウジング本体は、
前記台座部の周縁を支持し、前記入口部が周りに沿って複数個設けられるハウジング側面部と、
前記ハウジング側面部の下側に水平方向に設けられるハウジング底面部とを含むことを特徴とする請求項１０に記載の電子調理器具用調理容器。
【請求項１２】
前記入口部の上側は、前記ハウジング本体の側方向から熱風を供給する熱風供給部と同一または低い位置に設けられることを特徴とする請求項１１に記載の電子調理器具用調理容器。
【請求項１３】
前記ハウジング本体は、前記ハウジング側面部の内側に延び、前記入口部を介して流入する熱風の移動を案内する内側ガイドをさらに含むことを特徴とする請求項１１に記載の電子調理器具用調理容器。
【請求項１４】
前記内側ガイドは、前記入口部の一側から前記ハウジング側面部の内側に向かって水平方向に傾斜して設けられることを特徴とする請求項１３に記載の電子調理器具用調理容器。
【請求項１５】
前記台座部は、
熱風の移動する連通孔が複数個具備される台座体部と、
前記台座体部の外側縁を取り囲む形状に設けられるカバー部材とを含むことを特徴とする請求項１に記載の電子調理器具用調理容器。
【請求項１６】
前記台座体部は、
前記カバー部材の内側に位置し、環形状に形成される台座周縁部と、
前記台座周縁部の真ん中に位置する台座中央部と、
熱風の通過する第１連結孔を具備し、前記台座中央部から前記台座周縁部に向かって螺旋形状に延びる複数の第１支持部と、
前記第１支持部と隣り合う前記第１支持部との間に位置し、熱風の通過する第２連結孔が複数個具備される第２支持部とを含むことを特徴とする請求項１５に記載の電子調理器具用調理容器。
【請求項１７】
前記第２支持部は、前記第１支持部より下側にさらに突出することを特徴とする請求項１６に記載の電子調理器具用調理容器。
【請求項１８】
前記第２支持部は、前記台座中央部を中心として円弧形状に設けられ、上側に向かって膨らんだ形状に形成される支持曲面部材をさらに含むことを特徴とする請求項１５に記載の電子調理器具用調理容器。
【請求項１９】
前記蓋部は、
前記台座部の上側を遮蔽するドーム形状の蓋体と、
前記蓋体の上側に延びる取っ手部材とを含むことを特徴とする請求項２に記載の電子調理器具用調理容器。
【請求項２０】
前記脚部は、
前記ハウジング部の外側に固定されるワイヤ形状の脚フレームと、
前記脚フレームを取り囲む形状に設けられる脚カバーとを含むことを特徴とする請求項３に記載の電子調理器具用調理容器。
【発明の詳細な説明】
【技術分野】
【０００１】
本発明は、電子調理器具用調理容器に関するものであって、より詳細には、熱風を利用して揚げ物料理ができる電子調理器具用調理容器に関するものである。
【背景技術】
【０００２】
一般的に、揚げ物は、魚や肉、野菜などの多様な材料に小麦粉や揚げ物用粉などをつけて油で揚げる方法で調理される。
【０００３】
揚げ物料理に使用される油は酸化が早いことから、油を新しいものによく交換しなければならず、揚げ物料理に使用された油の保管および再使用に困難があって、調理費用が上昇する。
【０００４】
本発明の背景技術は、特許文献１（１９９８年９月２５日公開、発明の名称：連続自動食品揚げ物器）に開示されている。
【先行技術文献】
【特許文献】
【０００５】
【特許文献１】韓国公開特許第１９９５−００４４１５５号公報
【発明の概要】
【発明が解決しようとする課題】
【０００６】
油を利用して調理対象物を揚げる場合に油が高温に加熱されるため、油による火傷などの安全事故の危険性が存在する。また、解凍した調理対象物を揚げようとする場合には、解凍と揚げ物調理がそれぞれ異なる調理装置で進行しなければならない煩わしさがある。また、揚げ物調理は、調理対象物の内部よりは外部により多くの熱を加えるようになるため、調理対象物の内部と外部が均一に焼けない状況がたびたび発生する。したがって、これを改善する必要性が求められる。
【０００７】
本発明は、上記の問題点を改善するためになされたものであって、その目的は、調理対象物が保有している脂肪成分を利用して揚げ物調理を行うため、高温の油による安全事故の危険性を未然に防止することができる電子調理器具用調理容器を提供することである。
【０００８】
本発明の他の目的は、揚げ物調理時、調理対象物の内部と外部を均一に焼くことができる電子調理器具用調理容器を提供することである。
【課題を解決するための手段】
【０００９】
本発明にかかる電子調理器具用調理容器は、熱風の流入が行われる入口部を具備するハウジング部と、ハウジング部に置かれ、熱風によって調理される調理対象物が置かれる台座部とを含む。
【００１０】
また、本発明は、台座部を覆って熱風の移動を遮断する蓋部をさらに含むことが好ましい。
【００１１】
また、ハウジング部は、入口部が下側に具備され、上側は開口した形状に形成されるハウジング本体と、ハウジング本体を支持する脚部とを含むことが好ましい。
【００１２】
また、ハウジング本体は、台座部の周縁を支持し、下側に延びるハウジング側面部と、ハウジング側面部の下側からハウジング側面部の内側に延びるハウジング底面部と、ハウジング底面部から上側に延びて入口部に連結されるハウジング内側部とを含むことが好ましい。
【００１３】
また、ハウジング側面部は、曲面形状に形成され、ハウジング本体の内側に向かって下方傾斜して設けられることが好ましい。
【００１４】
また、ハウジング本体の上側は、ハウジング本体の側方向から熱風を供給する熱風供給部と同一または高い位置に設けられることが好ましい。
【００１５】
また、ハウジング底面部は、環形状に形成され、ハウジング底面部に脚部が設けられることが好ましい。
【００１６】
また、ハウジング内側部の内側には、入口部と連通する流入空間部が具備され、流入空間部と向き合うハウジング内側部は、膨らんだ曲面形状に形成されることが好ましい。
【００１７】
また、ハウジング本体は、流入空間部と向き合うハウジング内側部の側面に螺旋形状に突出し、熱風の回転を案内するガイド突起をさらに含むことが好ましい。
【００１８】
また、ハウジング部は、入口部が側面に沿って具備され、上側は開口した形状に形成されるハウジング本体と、ハウジング本体の下側を支持する脚部とを含むことが好ましい。
【００１９】
また、ハウジング本体は、台座部の周縁を支持し、入口部が周りに沿って複数個設けられるハウジング側面部と、ハウジング側面部の下側に水平方向に設けられるハウジング底面部とを含むことが好ましい。
【００２０】
また、入口部の上側は、ハウジング本体の側方向から熱風を供給する熱風供給部と同一または低い位置に設けられることが好ましい。
【００２１】
また、ハウジング本体は、ハウジング側面部の内側に延び、入口部を介して流入する熱風の移動を案内する内側ガイドをさらに含むことが好ましい。
【００２２】
また、内側ガイドは、入口部の一側からハウジング側面部の内側に向かって水平方向に傾斜して設けられることが好ましい。
【００２３】
また、台座部は、熱風の移動する連通孔が複数個具備される台座体部と、台座体部の外側縁を取り囲む形状に設けられるカバー部材とを含むことが好ましい。
【００２４】
また、台座体部は、カバー部材の内側に位置し、環形状に形成される台座周縁部と、台座周縁部の真ん中に位置する台座中央部と、熱風の通過する第１連結孔を具備し、台座中央部から台座周縁部に向かって螺旋形状に延びる複数の第１支持部と、第１支持部と隣り合う第１支持部との間に位置し、熱風の通過する第２連結孔が複数個具備される第２支持部とを含むことが好ましい。
【００２５】
また、第２支持部は、第１支持部より下側にさらに突出することが好ましい。
【００２６】
また、第２支持部は、台座中央部を中心として円弧形状に設けられ、上側に向かって膨らんだ形状に形成される支持曲面部材をさらに含むことが好ましい。
【００２７】
また、蓋部は、台座部の上側を遮蔽するドーム形状の蓋体と、蓋体の上側に延びる取っ手部材とを含むことが好ましい。
【００２８】
また、脚部は、ハウジング部の外側に固定されるワイヤ形状の脚フレームと、脚フレームを取り囲む形状に設けられる脚カバーとを含むことが好ましい。
【発明の効果】
【００２９】
本発明によれば、一般の調理と共に揚げ物調理をすべて行うことができる電子調理器具用調理容器を提供することができる。
【００３０】
本発明によれば、調理対象物が保有している脂肪成分を利用して揚げ物調理を行うため、高温の油による安全事故の危険性を未然に防止することができ、油の不使用により、調理費用を節減することができる。
【００３１】
本発明によれば、ハウジング本体の内側に流入した熱風が螺旋状に回転しながら調理対象物を加熱するため、熱風と調理対象物との接する時間が増大し、調理時間の短縮および調理性能の向上を達成することができる。
【００３２】
本発明によれば、調理対象物の下部を支持する支持曲面部材が上側に膨らんで形成され、調理対象物と台座部との間の接触面積が減少するため、熱風と調理対象物との接する接触面積が増大し、調理時間の短縮および調理性能の向上を達成することができる。
【００３３】
本発明によれば、熱風供給部から吐出された熱風のうち、ハウジング側面部に移動する熱風は、ハウジング側面部の曲面に沿って下側に移動しながら入口部に流入するため、熱風の損失を低減し、調理時間を短縮させることができる。
【００３４】
本発明によれば、ハウジング本体の内側から台座部を介して上側に移動した熱風が蓋部の内側に留まる時間が増加するため、調理対象物の加熱時間が短縮し、調理費用を節減することができる。
【図面の簡単な説明】
【００３５】
【図１】本発明の第１実施形態にかかる電子調理器具用調理容器を概略的に示す斜視図である。
【図２】本発明の第１実施形態にかかる電子調理器具用調理容器を概略的に示す分解斜視図である。
【図３】本発明の第１実施形態にかかる電子調理器具用調理容器を概略的に示す部分切開斜視図である。
【図４】本発明の第１実施形態にかかるハウジング本体と台座部を分解して示す平面図である。
【図５】本発明の第１実施形態にかかる台座部の後面を概略的に示す斜視図である。
【図６】本発明の第１実施形態にかかる脚カバーから脚フレームが分離された状態を概略的に示す斜視図である。
【図７】本発明の第１実施形態にかかる電子調理器具用調理容器が電子調理器具の内側に設けられた状態を概略的に示す図である。
【図８】本発明の第１実施形態にかかるハウジング本体の変形例を示す平面図である。
【図９】本発明の第１実施形態にかかるハウジング本体の変形例を示す斜視図である。
【図１０】本発明の第２実施形態にかかる電子調理器具用調理容器を概略的に示す分解斜視図である。
【図１１】本発明の第２実施形態にかかるハウジング本体の内側に内側ガイドが延びた状態を概略的に示す平面図である。
【図１２】本発明の第２実施形態にかかる電子調理器具用調理容器が電子調理器具の内側に設けられた状態を概略的に示す図である。
【図１３】本発明の第３実施形態にかかる電子調理器具用調理容器を概略的に示す斜視図である。
【図１４】本発明の第３実施形態にかかる電子調理器具用調理容器を概略的に示す分解斜視図である。
【図１５】本発明の第３実施形態にかかる電子調理器具用調理容器を概略的に示す部分切開斜視図である。
【図１６】本発明の第３実施形態にかかるハウジング本体と台座部と蓋部を分解して示す平面図である。
【図１７】本発明の第３実施形態にかかる電子調理器具用調理容器が電子調理器具の内側に設けられた状態を概略的に示す図である。
【図１８】本発明の第３実施形態にかかるハウジング本体の変形例を示す平面図である。
【図１９】本発明の第４実施形態にかかる電子調理器具用調理容器を概略的に示す分解斜視図である。
【図２０】本発明の第４実施形態にかかる電子調理器具用調理容器が電子調理器具の内側に設けられた状態を概略的に示す図である。
【発明を実施するための形態】
【００３６】
以下、添付した図面を参照して、本発明にかかる電子調理器具用調理容器の第１実施形態を説明する。説明の便宜のために、熱風発生用電子レンジに設けられた電子調理器具用調理容器を例に挙げて説明する。この過程で図面に示された線の厚さや構成要素の大きさなどは、説明の明瞭性と便宜上誇張されて示されていることがある。また、後述する用語は、本発明における機能を考慮して定義された用語であり、これは使用者、運用者の意図または慣例によって異なることがある。そのため、このような用語に対する定義は、本明細書全般にわたる内容に基づいて行われなければならない。
【００３７】
図１は、本発明の第１実施形態にかかる電子調理器具用調理容器を概略的に示す斜視図であり、図２は、本発明の第１実施形態にかかる電子調理器具用調理容器を概略的に示す分解斜視図であり、図３は、本発明の第１実施形態にかかる電子調理器具用調理容器を概略的に示す部分切開斜視図であり、図４は、本発明の第１実施形態にかかるハウジング本体と台座部を分解して示す平面図であり、図５は、本発明の第１実施形態にかかる台座部の後面を概略的に示す斜視図であり、図６は、本発明の第１実施形態にかかる脚カバーから脚フレームが分離された状態を概略的に示す斜視図であり、図７は、本発明の第１実施形態にかかる電子調理器具用調理容器が電子調理器具の内側に設けられた状態を概略的に示す図であり、図８は、本発明の第１実施形態にかかるハウジング本体の変形例を示す平面図であり、図９は、本発明の第１実施形態にかかるハウジング本体の変形例を示す斜視図である。
【００３８】
図１と図２および図７に示されるように、本発明の第１実施形態にかかる電子調理器具用調理容器１は、熱風７０の流入が行われる入口部１４を具備するハウジング部５と、ハウジング部５に置かれ、熱風７０によって調理される調理対象物６０が置かれる台座部３０とを含む。
【００３９】
台座部３０の上側に調理対象物６０が置かれ、台座部３０の下側にハウジング部５が設けられる。台座部３０を支持するハウジング部５は、熱風７０の流入が行われる入口部１４が具備されるため、入口部１４を介してハウジング部５の内側に熱風７０が流入する。
【００４０】
ハウジング部５は、入口部１４を介して外部から供給された熱風７０が台座部３０に置かれている調理対象物６０を加熱するための空気流路を形成するための技術思想内で多様な形状に形成できる。
【００４１】
図２ないし図４および図７に示されるように、第１実施形態にかかるハウジング部５は、入口部１４が下側に具備され、上側は開口した形状に形成されるハウジング本体１０と、ハウジング本体１０を支持する脚部４０とを含む。
【００４２】
ハウジング本体１０の下側に延びた脚部４０が電子調理器具５０のターンテーブルや下部に接して設けられる。
【００４３】
ハウジング本体１０の下側に入口部１４が具備され、電子調理器具用調理容器１の側方向から供給された熱風７０は、ハウジング本体１０の下側に流入してハウジング本体１０の上側に移動する。
【００４４】
ハウジング本体１０が脚部４０によって支持され、ハウジング本体１０の下側に空間が形成されるため、ハウジング本体１０の下側を通してハウジング本体１０の内側に移動する空気の流れがより円滑になる。
【００４５】
ハウジング本体１０は、ハウジング側面部１２と、入口部１４と、ハウジング底面部１５と、ハウジング内側部１６と、流入空間部１７と、ガイド突起１８とを含む。
【００４６】
ハウジング側面部１２は、台座部３０の周縁を支持し、下側に延びる形状に形成される。
【００４７】
ハウジング本体１０の側面を形成するハウジング側面部１２は、リング形状に形成され、ハウジング側面部１２の上側から下側に向かって曲面形状に形成される。
【００４８】
ハウジング側面部１２は、ハウジング本体１０の内側に向かって下方傾斜して設けられて曲面形状に形成されるため、ハウジング側面部１２に向かって側方向から吹き込む熱風７０をハウジング側面部１２の下側に案内し、調理時間を短縮させることができる。
【００４９】
すなわち、ハウジング本体１０の側方向から供給される熱風７０が、ハウジング本体１０の下側に具備された入口部１４を介してハウジング本体１０の内側に容易に移動できるように、ハウジング側面部１２の形状が曲面形状に傾斜して形成されるため、入口部１４に移動する熱風７０の量が増加し、熱風７０の損失を低減することができる。
【００５０】
ハウジング側面部１２の下側に連結されたハウジング底面部１５は、ハウジング側面部１２の下側からハウジング側面部１２の内側に延びる。
【００５１】
ハウジング側面部１２の下側に水平方向に設けられたハウジング底面部１５は、環形状に形成され、ハウジング底面部１５の下側に脚部４０が固定される。
【００５２】
脚部４０が、水平方向に設けられたハウジング底面部１５に接して設けられるため、脚部４０とハウジング底面部１５との接触面積が増大し、脚部４０の固定が安定的になる。
【００５３】
ハウジング底面部１５から上側に延びるハウジング内側部１６は、熱風７０の流入が行われる入口部１４に連結される。
【００５４】
ハウジング内側部１６の内側には、入口部１４と連通する流入空間部１７が具備され、流入空間部１７と向き合うハウジング内側部１６は、膨らんだ曲面形状に形成される。
【００５５】
入口部１４の下側に流入空間部１７が位置し、流入空間部１７と向き合うハウジング内側部１６は、曲面形状に形成されるため、ハウジング内側部１６に沿って上側の入口部１４に移動する熱風７０の移動が安定的に行われる。
【００５６】
ハウジング内側部１６は、上側が細くなる漏斗形状に形成されるため、ハウジング内側部１６に沿って上側に移動する熱風７０が入口部１４を介してハウジング本体１０の内側に移動する流れが円滑になる。
【００５７】
第１実施形態にかかるハウジング本体１０の上側は、ハウジング本体１０の側方向から熱風７０を供給する熱風供給部５４と同一または高い位置に設けられるため、ハウジング本体１０の下側を通してハウジング本体１０の内側に熱風７０が容易に供給できる。
【００５８】
熱風７０の吐出が行われる孔を複数個具備する熱風供給部５４は、電子調理器具５０の内側下部に設けられる。
【００５９】
熱風供給部５４の孔は、電子調理器具５０の内側と連通し、このような孔は、複数の列を形成し、電子調理器具５０の内側下部に横方向に設けられる。
【００６０】
熱風供給部５４の上側に位置した孔の高さは、ハウジング本体１０の上側の高さと同一または低い位置に設けられる。
【００６１】
熱風供給部５４の高さがハウジング本体１０より低い場合には、ハウジング本体１０の下部を通して入口部１４の下側に熱風７０が移動する。
【００６２】
入口部１４の下側に移動する熱風７０は、周辺の他の空気より熱いため、上昇しようとする性質がある。したがって、熱風供給部５４から吐出された慣性によって入口部１４の下側に移動した熱風７０は、浮上しようとする性質によって入口部１４の上側に移動して調理対象物６０を加熱する。
【００６３】
入口部１４を介して上側に移動できずに斜めに上方直進する熱風７０は、ハウジング内側部１６の曲面に接しながら入口部１４を向いた上側に移動する。したがって、ハウジング本体１０の下側に供給される熱風７０のほとんどは、入口部１４を介して上側に移動する。
【００６４】
熱風供給部５４の上側に具備された孔の高さがハウジング本体１０の上側と比較して同一または低い位置にある場合には、ハウジング本体１０の側面に具備された曲面に沿って熱風７０の下側移動が案内される。
【００６５】
すなわち、熱風供給部５４から水平方向に供給される熱風７０の一部は、ハウジング本体１０の下側を通して入口部１４に移動し、残りの熱風７０は、ハウジング側面部１２の曲面に沿ってハウジング側面部１２の下側に移動した後、ハウジング側面部１２の下側を通して入口部１４に流入する熱風７０に合流して入口部１４に移動する。
【００６６】
ハウジング本体１０は、鉄板やアルミニウムにテフロン（登録商標）をコーティングして使用することができ、ステンレスを使用することもできる。
【００６７】
ハウジング本体１０の内側に上部ヒータ部５２の輻射熱が伝達されると、ハウジング本体１０の内側から反射した輻射熱はハウジング本体１０の上側に移動するため、熱効率を向上させることができる。
【００６８】
輻射熱の上側反射を容易にするために、ハウジング側面部１２、ハウジング底面部１５、ハウジング内側部１６の形状は、「Ｕ」字形状に形成されるため、上側から下側に移動する輻射熱を再びハウジング本体１０の上側に反射する。
【００６９】
ハウジング本体１０の変形例が示された図８と図９に示されるように、ハウジング内側部１６に別のガイド突起１８が追加され、熱風７０の回転を案内することができる。
【００７０】
流入空間部１７と向き合うハウジング内側部１６の側面に螺旋形状に突出するガイド突起１８は、流入空間部１７を介して入口部１４に移動する熱風７０が回転するように案内する。
【００７１】
流入空間部１７の円周方向に沿って複数個設けられたガイド突起１８は、ハウジング内側部１６の下側から上側に延びる。
【００７２】
ハウジング内側部１６の内側に突出したガイド突起１８は一方向に傾斜して形成されるため、ハウジング内側部１６を通過する熱風７０は、ガイド突起１８によってガイドされて旋風を形成する。
【００７３】
旋風を形成する熱風７０がハウジング本体１０を介して台座部３０に移動すると、台座部３０に置かれた調理対象物６０と熱風７０との接する時間および面積が増大し、調理時間を短縮させることができる。
【００７４】
図２ないし図５に示されるように、ハウジング部５の上側に置かれる台座部３０は、複数の連通孔を具備し、熱風７０によって調理される調理対象物６０が置かれる技術思想内で多様な形状に形成できる。
【００７５】
第１実施形態にかかる台座部３０は、台座体部３１と、カバー部材３９とを含む。
【００７６】
台座体部３１は、熱風７０の移動する連通孔が複数個具備される技術思想内で多様な形状に変形することができ、カバー部材３９も、台座体部３１の外側縁を取り囲む形状に設けられる技術思想内で多様な形状に変形することができる。
【００７７】
第１実施形態にかかる台座体部３１は、台座周縁部３２と、台座中央部３３と、第１支持部３４と、第２支持部３６とを含む。
【００７８】
台座周縁部３２は、環形状に形成され、台座周縁部３２の外側にカバー部材３９が位置し、台座周縁部３２の内側に台座中央部３３と第１支持部３４と第２支持部３６とが位置する。
【００７９】
カバー部材３９の内側に位置する台座周縁部３２は、リング形状に形成され、アルミニウムを含む。
【００８０】
台座中央部３３は台座周縁部３２の真ん中に位置し、台座中央部３３と台座周縁部３２とは互いに離隔した状態で設けられる。
【００８１】
台座中央部３３から延びた第１支持部３４および第２支持部３６は、台座周縁部３２に連結され、第１支持部３４および第２支持部３６は、螺旋形状に曲げられて設けられるため、台座部３０の下側から上側に移動する熱風７０の回転を案内する。
【００８２】
第１支持部３４は、熱風７０の通過する第１連結孔３５を具備し、台座中央部３３から台座周縁部３２に向かって螺旋形状に延びる。
【００８３】
第１支持部３４は、台座中央部３３の円周方向に沿って複数個設けられ、第１支持部３４と隣り合う第１支持部３４との間に第２支持部３６が位置する。
【００８４】
第２支持部３６は、熱風７０の通過する第２連結孔３７が複数個具備され、第１支持部３４と共に螺旋形状に曲げられて設けられる。
【００８５】
第２支持部３６の幅は、第１支持部３４の幅より２倍以上広く形成され、第２支持部３６の上側で調理対象物６０の調理が主に行われる。
【００８６】
第２支持部３６は、第１支持部３４より下側にさらに突出するため、台座部３０の下側から上側に移動する熱風７０は、第１支持部３４の下側に沿って回転して旋風を形成する。
【００８７】
ハウジング部５のガイド突起１８を通過して形成された旋風の方向と、第１支持部３４の下側を通過して形成された旋風の方向とは同一であるため、熱風７０がハウジング部５の内側に旋風を形成して、調理対象物６０と接する時間が増大する。
【００８８】
第１支持部３４に形成された第１連結孔３５と、第２支持部３６に形成された第２連結孔３７は、円周方向に設けられる。
【００８９】
台座中央部３３を中心として円弧を形成して第１連結孔３５および第２連結孔３７が設けられ、台座中央部３３と台座周縁部３２との間に複数の第１連結孔３５および第２連結孔３７が設けられる。
【００９０】
第２支持部３６は、台座中央部３３を中心として円弧形状に設けられ、上側に向かって膨らんだ形状に形成される支持曲面部材３８を含む。
【００９１】
支持曲面部材３８は、上側に向かって膨らんだ形状に形成され、支持曲面部材３８の下側は、凹んだ形状に形成される。したがって、支持曲面部材３８の上側に載せられた調理対象物６０から流れ出た流体は支持曲面部材３８に沿って下側に落下するため、第２支持部３６の表面の掃除作業が簡便に行われる。
【００９２】
また、支持曲面部材３８の下側に供給された熱風７０が支持曲面部材３８の凹んだ溝に留まるため、熱風７０と支持曲面部材３８との接する時間が増大して支持曲面部材３８の加熱が容易に行われたため、調理対象物６０の調理時間を短縮させることができる。
【００９３】
台座周縁部３２に結合されるカバー部材３９は、ゴムやシリコンを含んで成形されるため、電子レンジの内側に設けられた台座部３０の周縁で発生し得るスパークを防止することができる。
【００９４】
第１実施形態にかかる台座部３０は、アルミニウムにテフロン（登録商標）をコーティングして使用する。
【００９５】
アルミニウムは熱伝導度が高いため、調理対象物６０の加熱が迅速に行われ、テフロン（登録商標）は食物が台座部３０にくっつく現象を防止することができる。
【００９６】
カバー部材３９は、シリコンを使用するため、アルミニウムからなる台座部３０と、鉄板からなる台座部３０との間に設けられ、スパークの発生を防止する。
【００９７】
図２と図６に示されるように、脚部４０は、ハウジング部５の外側に固定されるワイヤ形状の脚フレーム４２と、脚フレーム４２を取り囲む形状に設けられる脚カバー４５とを含む。
【００９８】
脚フレーム４２は、鉄骨構造からなり、脚フレーム４２の外側を取り囲む形状に設けられる脚カバー４５は、シリコンを含んで形成される。
【００９９】
第１実施形態にかかる脚フレーム４２は、ハウジング部５の下側に固定される固定部材４３と、固定部材４３の両側から下側に延びる延長部材４４とを含む。
【０１００】
ハウジング部５の下側から下方傾斜して設けられる延長部材４４に脚カバー４５が結合されるため、延長部材４４の外側に脚カバー４５が固定される。
【０１０１】
第１実施形態にかかる脚カバー４５は、延長部材４４が挿入される装着溝４７を具備するカバー体４６と、固定部材４３を取り囲む形状に溝を形成し、カバー体４６に連結される遮蔽溝部４８とを含む。
【０１０２】
装着溝４７は、カバー体４６の内側に延び、固定部材４３の曲がった形状に沿って溝を形成する遮蔽溝部４８は、カバー体４６の一側に連結される。
【０１０３】
延長部材４４が装着溝４７に挿入され、固定部材４３が遮蔽溝部４８の内側に位置するため、脚フレーム４２は脚カバー４５によって遮蔽され、スパークの発生を防止することができる。
【０１０４】
図２と図７に示されるように、電子調理器具用調理容器１は、電子調理器具５０のトレイに載せられて回転するため、調理対象物６０を均一に加熱することができる。
【０１０５】
電子調理器具５０は、上部ヒータ部５２と、熱風供給部５４とを含み、上部ヒータ部５２からは輻射熱が供給され、熱風供給部５４からは熱風７０が供給される。
【０１０６】
電子調理器具用調理容器１は、電子調理器具５０のトレイに設けられ、電子調理器具用調理容器１の上側に上部ヒータ部５２が設けられ、電子調理器具用調理容器１の後側に熱風供給部５４が設けられる。
【０１０７】
上部ヒータ部５２で発生した輻射熱は、電子調理器具用調理容器１の上側に供給され、熱風供給部５４で発生した熱風７０は、電子調理器具用調理容器１の下側に移動してハウジング部５の内側に移動する。
【０１０８】
第１実施形態にかかる電子調理器具５０は、上部ヒータ部５２と、熱風供給部５４とを具備したコンベクション電子レンジが使用される。
【０１０９】
以下では、添付した図面を参照して、本発明の第１実施形態にかかる電子調理器具用調理容器１の作動状態を詳細に説明する。
【０１１０】
電子調理器具５０の内側に電子調理器具用調理容器１を装着した後、上部ヒータ部５２と熱風供給部５４を動作させる。
【０１１１】
熱線を含むヒータの動作で上部ヒータ部５２が動作すると、台座部３０を向いた下側に輻射熱が伝達される。
【０１１２】
調理対象物６０を加熱し台座部３０の下側に移動した輻射熱は、ハウジング本体１０の内側から反射した後、再び上側に移動する。
【０１１３】
ハウジング本体１０から反射した輻射熱は、台座部３０の下側に伝達されて調理対象物６０を二次加熱するため、調理時間を短縮させることができる。
【０１１４】
熱風供給部５４で発生した熱風７０は、ハウジング本体１０の側方向に移動したり、ハウジング本体１０の下側に移動したりする。
【０１１５】
ハウジング側面部１２に沿ってハウジング本体１０の下側に案内された熱風７０は、ハウジング内側部１６の流入空間部１７に移動する。
【０１１６】
ハウジング内側部１６に沿って上側に移動する熱風７０は、ハウジング内側部１６の内側に突出したガイド突起１８によって案内されて回転しながら旋風を形成する。
【０１１７】
ハウジング本体１０の内側に流入した熱風７０は、台座部３０の下側に形成された第１支持部３４の下側に沿って再び回転しながら旋風を形成するため、熱風７０によって台座体部３１と調理対象物６０との接する時間が増大して熱効率が向上し、調理対象物６０の調理時間も短縮する。
【０１１８】
また、台座部３０の下側から上側に移動する熱風７０は、第２支持部３６に具備された支持曲面部材３８の下側に留まりながら熱風７０と台座体部３１との接する時間が増大し、台座体部３１の加熱が容易に行われる。
【０１１９】
以下、図面を参照して、本発明の第２実施形態にかかる電子調理器具用調理容器を説明する。
【０１２０】
説明の便宜のために、本発明の第１実施形態と構成および作用が同一の構成要素については同一の参照番号で引用し、これに関する詳細な説明は省略する。
【０１２１】
図１０は、本発明の第２実施形態にかかる電子調理器具用調理容器を概略的に示す分解斜視図であり、図１１は、本発明の第２実施形態にかかるハウジング本体の内側に内側ガイドが延びた状態を概略的に示す平面図であり、図１２は、本発明の第２実施形態にかかる電子調理器具用調理容器が電子調理器具の内側に設けられた状態を概略的に示す図である。
【０１２２】
図１０ないし図１２に示されるように、第２実施形態にかかるハウジング部５は、ハウジング本体２０と、脚部４０とを含む。
【０１２３】
ハウジング本体２０の内側に熱風７０を供給する入口部２４は、ハウジング本体２０の側面に沿って具備される。ハウジング本体２０の上側は開口した形状に形成され、ハウジング本体２０の下側は脚部４０によって支持される。
【０１２４】
第２実施形態にかかるハウジング本体２０は、ハウジング側面部２２と、ハウジング底面部２５と、内側ガイド２６とを含む。
【０１２５】
ハウジング本体２０の側面を形成するハウジング側面部２２は、台座部３０の周縁を支持し、下側に延びるリング形状に形成される。
【０１２６】
ハウジング側面部２２の周りに沿って設けられた入口部２４は、ハウジング側面部２２の内側に熱風７０が移動する通路を形成する。
【０１２７】
入口部２４は、水平方向に長孔を形成し、このような入口部２４がハウジング側面部２２に沿って複数個設けられる。
【０１２８】
ハウジング側面部２２の下側に水平方向に設けられるハウジング底面部２５は、ハウジング本体２０の底面を形成する。
【０１２９】
入口部２４の上側は、ハウジング本体２０の側方向から熱風７０を供給する熱風供給部５４と同一または低い位置に設けられるため、熱風７０が入口部２４の内側に容易に流入できる。
【０１３０】
熱風供給部５４から水平方向に供給される熱風７０の一部は、ハウジング本体２０の側面に形成された入口部２４を介してハウジング本体２０の内側に移動し、入口部２４の上側に移動する熱風７０は、ハウジング側面部２２の曲面に沿ってハウジング側面部２２の下側に移動しながら入口部２４の内側に流入するため、熱風７０による調理対象物６０の加熱時間が短縮する。
【０１３１】
ハウジング側面部２２の内側に連結された内側ガイド２６は、ハウジング側面部２２の内側に延び、入口部２４を介して流入する熱風７０の移動を案内する技術思想内で多様な形状に形成できる。
【０１３２】
第２実施形態にかかる内側ガイド２６は、入口部２４の一側からハウジング側面部２２の内側に向かって水平方向に傾斜して設けられる。
【０１３３】
入口部２４の内側に流入した熱風７０は、内側ガイド２６によって案内されて旋風を形成し、これによって、熱風７０と調理対象物６０との接触面積および接触時間が増大する。
【０１３４】
以下では、添付した図面を参照して、本発明の第２実施形態にかかる電子調理器具用調理容器２の作動状態を詳細に説明する。
【０１３５】
熱風供給部５４で発生した熱風７０は、ハウジング本体２０の側方向に移動し、ハウジング側面部２２の曲面に沿って移動する熱風７０は、入口部２４を介してハウジング本体２０の内側に移動する。
【０１３６】
入口部２４を介してハウジング本体２０の内側に移動する熱風７０は、内側ガイド２６によって移動が案内されながらハウジング本体２０の内側で回転する。
【０１３７】
ハウジング本体２０の内側で旋風を形成する熱風７０は、台座部３０の下側に形成された第１支持部３４の下側に沿って再び回転しながら旋風を形成するため、熱風７０によって台座体部３１と調理対象物６０との接する時間が増大して熱効率が向上し、調理対象物６０の調理時間も短縮する。
【０１３８】
また、台座部３０の下側から上側に移動する熱風７０は、第２支持部３６に具備された支持曲面部材３８の下側に留まりながら熱風７０と台座体部３１との接する時間が増大し、台座体部３１の加熱が容易に行われる。
【０１３９】
上部ヒータ部５２で発生した輻射熱は、第１実施形態と同様の方式で調理対象物６０を加熱する。
【０１４０】
以下、図面を参照して、本発明の第３実施形態にかかる電子調理器具用調理容器を説明する。
【０１４１】
説明の便宜のために、本発明の第１実施形態と構成および作用が同一の構成要素については同一の参照番号で引用し、これに関する詳細な説明は省略する。
【０１４２】
図１３は、本発明の第３実施形態にかかる電子調理器具用調理容器を概略的に示す斜視図であり、図１４は、本発明の第３実施形態にかかる電子調理器具用調理容器を概略的に示す分解斜視図であり、図１５は、本発明の第３実施形態にかかる電子調理器具用調理容器を概略的に示す部分切開斜視図であり、図１６は、本発明の第３実施形態にかかるハウジング本体と台座部と蓋部を分解して示す平面図であり、図１７は、本発明の第３実施形態にかかる電子調理器具用調理容器が電子調理器具の内側に設けられた状態を概略的に示す図であり、図１８は、本発明の第３実施形態にかかるハウジング本体の変形例を示す平面図である。
【０１４３】
図１３と図１４および図１７に示されるように、本発明の第３実施形態にかかる電子調理器具用調理容器３は、熱風７０の流入が行われる入口部１４を具備するハウジング部５と、ハウジング部５に置かれ、熱風７０によって調理される調理対象物６０が置かれる台座部３０と、台座部３０を覆って熱風７０の移動を遮断する蓋部８０とを含む。
【０１４４】
台座部３０の上側に調理対象物６０が置かれ、台座部３０の下側にハウジング部５が設けられる。台座部３０を支持するハウジング部５は、熱風７０の流入が行われる入口部１４が具備されるため、入口部１４を介してハウジング部５の内側に熱風７０が流入する。
【０１４５】
ハウジング部５は、入口部１４を介して外部から供給された熱風７０が台座部３０に置かれている調理対象物６０を加熱するための空気流路を形成するための技術思想内で多様な形状に形成できる。
【０１４６】
図１４ないし図１７に示されるように、第３実施形態にかかるハウジング部５は、入口部１４が下側に具備され、上側は開口した形状に形成されるハウジング本体１０と、ハウジング本体１０を支持する脚部４０とを含む。
【０１４７】
ハウジング本体１０の下側に延びた脚部４０が電子調理器具５０のターンテーブルや下部に接して設けられる。
【０１４８】
ハウジング本体１０の下側に入口部１４が具備され、電子調理器具用調理容器３の側方向から供給された熱風７０は、ハウジング本体１０の下側に流入してハウジング本体１０の上側に移動する。
【０１４９】
ハウジング本体１０が脚部４０によって支持され、ハウジング本体１０の下側に空間が形成されるため、ハウジング本体１０の下側を通してハウジング本体１０の内側に移動する空気の流れがより円滑になる。
【０１５０】
ハウジング本体１０は、ハウジング側面部１２と、入口部１４と、ハウジング底面部１５と、ハウジング内側部１６と、流入空間部１７と、ガイド突起１８とを含む。
【０１５１】
ハウジング側面部１２は、台座部３０の周縁を支持し、下側に延びる形状に形成される。
【０１５２】
ハウジング本体１０の側面を形成するハウジング側面部１２は、リング形状に形成され、ハウジング側面部１２の上側から下側に向かって曲面形状に形成される。
【０１５３】
ハウジング側面部１２は、ハウジング本体１０の内側に向かって下方傾斜して設けられて曲面形状に形成されるため、ハウジング側面部１２に向かって側方向から吹き込む熱風７０をハウジング側面部１２の下側に案内し、調理時間を短縮させることができる。
【０１５４】
すなわち、ハウジング本体１０の側方向から供給される熱風７０がハウジング本体１０の下側に具備された入口部１４を介してハウジング本体１０の内側に容易に移動できるように、ハウジング側面部１２の形状が曲面形状に傾斜して形成されるため、入口部１４に移動する熱風７０の量が増加し、熱風７０の損失を低減することができる。
【０１５５】
ハウジング側面部１２の下側に連結されたハウジング底面部１５は、ハウジング側面部１２の下側からハウジング側面部１２の内側に延びる。
【０１５６】
ハウジング側面部１２の下側に水平方向に設けられたハウジング底面部１５は、環形状に形成され、ハウジング底面部１５の下側に脚部４０が固定される。
【０１５７】
脚部４０が水平方向に設けられたハウジング底面部１５に接して設けられるため、脚部４０とハウジング底面部１５との接触面積が増大し、脚部４０の固定が安定的になる。
【０１５８】
ハウジング底面部１５から上側に延びるハウジング内側部１６は、熱風７０の流入が行われる入口部１４に連結される。
【０１５９】
ハウジング内側部１６の内側には、入口部１４と連通する流入空間部１７が具備され、流入空間部１７と向き合うハウジング内側部１６は、膨らんだ曲面形状に形成される。
【０１６０】
入口部１４の下側に流入空間部１７が位置し、流入空間部１７と向き合うハウジング内側部１６は、曲面形状に形成されるため、ハウジング内側部１６に沿って上側の入口部１４に移動する熱風７０の移動が安定的に行われる。
【０１６１】
ハウジング内側部１６は、上側が細くなる漏斗形状に形成されるため、ハウジング内側部１６に沿って上側に移動する熱風７０が入口部１４を介してハウジング本体１０の内側に移動する流れが円滑になる。
【０１６２】
第３実施形態にかかるハウジング本体１０の上側は、ハウジング本体１０の側方向から熱風７０を供給する熱風供給部５４と同一または高い位置に設けられるため、ハウジング本体１０の下側を通してハウジング本体１０の内側に熱風７０が容易に供給できる。
【０１６３】
熱風７０の吐出が行われる孔を複数個具備する熱風供給部５４は、電子調理器具５０の内側下部に設けられる。
【０１６４】
熱風供給部５４の孔は、電子調理器具５０の内側と連通し、このような孔は、複数の熱を形成し、電子調理器具５０の内側下部に横方向に設けられる。
【０１６５】
熱風供給部５４の上側に位置した孔の高さは、ハウジング本体１０の上側の高さと同一または低い位置に設けられる。
【０１６６】
熱風供給部５４の高さがハウジング本体１０より低い場合には、ハウジング本体１０の下部を通して入口部１４の下側に熱風７０が移動する。
【０１６７】
入口部１４の下側に移動する熱風７０は、周辺の他の空気より熱いため、上昇しようとする性質がある。したがって、熱風供給部５４から吐出された慣性によって入口部１４の下側に移動した熱風７０は、浮上しようとする性質によって入口部１４の上側に移動して調理対象物６０を加熱する。
【０１６８】
入口部１４を介して上側に移動できずに斜めに上方直進する熱風７０は、ハウジング内側部１６の曲面に接しながら入口部１４を向いた上側に移動する。したがって、ハウジング本体１０の下側に供給される熱風７０のほとんどは、入口部１４を介して上側に移動する。
【０１６９】
ハウジング本体１０は、鉄板やアルミニウムにテフロン（登録商標）をコーティングして使用することができ、ステンレスを使用することもできる。
【０１７０】
ハウジング側面部１２、ハウジング底面部１５、ハウジング内側部１６の形状は、「Ｕ」字形状に形成されるため、ハウジング本体１０の内側を回転して上側に移動する熱風７０の回転を案内する。
【０１７１】
ハウジング本体１０の変形例が示された図１８に示されるように、ハウジング内側部１６に別のガイド突起１８が追加され、熱風７０の回転を案内することができる。
【０１７２】
流入空間部１７と向き合うハウジング内側部１６の側面に螺旋形状に突出するガイド突起１８は、流入空間部１７を介して入口部１４に移動する熱風７０が回転するように案内する。
【０１７３】
流入空間部１７の円周方向に沿って複数個設けられたガイド突起１８は、ハウジング内側部１６の下側から上側に延びる。
【０１７４】
ハウジング内側部１６の内側に突出したガイド突起１８は一方向に傾斜して形成されるため、ハウジング内側部１６を通過する熱風７０は、ガイド突起１８によってガイドされて旋風を形成する。
【０１７５】
旋風を形成する熱風７０がハウジング本体１０を介して台座部３０に移動すると、台座部３０に置かれた調理対象物６０と熱風７０との接する時間および面積が増大し、調理時間を短縮させることができる。
【０１７６】
図１３ないし図１６に示されるように、ハウジング部５の上側に置かれる台座部３０は、複数の連通孔を具備し、熱風７０によって調理される調理対象物６０が置かれる技術思想内で多様な形状に形成できる。
【０１７７】
第３実施形態にかかる台座部３０は、台座体部３１と、カバー部材３９とを含む。
【０１７８】
台座体部３１は、熱風７０の移動する連通孔が複数個具備される技術思想内で多様な形状に変形することができ、カバー部材３９も、台座体部３１の外側縁を取り囲む形状に設けられる技術思想内で多様な形状に変形することができる。
【０１７９】
第３実施形態にかかる台座体部３１は、台座周縁部３２と、台座中央部３３と、第１支持部３４と、第２支持部３６とを含む。
【０１８０】
台座周縁部３２は、環形状に形成され、台座周縁部３２の外側にカバー部材３９が位置し、台座周縁部３２の内側に台座中央部３３と第１支持部３４と第２支持部３６とが位置する。
【０１８１】
カバー部材３９の内側に位置する台座周縁部３２は、リング形状に形成され、アルミニウムを含む。
【０１８２】
台座中央部３３は台座周縁部３２の真ん中に位置し、台座中央部３３と台座周縁部３２とは互いに離隔した状態で設けられる。
【０１８３】
台座中央部３３から延びた第１支持部３４および第２支持部３６は、台座周縁部３２に連結され、第１支持部３４および第２支持部３６は、螺旋形状に曲げられて設けられるため、台座部３０の下側から上側に移動する熱風７０の回転を案内する。
【０１８４】
第１支持部３４は、熱風７０の通過する第１連結孔３５を具備し、台座中央部３３から台座周縁部３２に向かって螺旋形状に延びる。
【０１８５】
第１支持部３４は、台座中央部３３の円周方向に沿って複数個設けられ、第１支持部３４と隣り合う第１支持部３４との間に第２支持部３６が位置する。
【０１８６】
第２支持部３６は、熱風７０の通過する第２連結孔３７が複数個具備され、第１支持部３４と共に螺旋形状に曲げられて設けられる。
【０１８７】
第２支持部３６の幅は、第１支持部３４の幅より２倍以上広く形成され、第２支持部３６の上側で調理対象物６０の調理が主に行われる。
【０１８８】
第２支持部３６は、第１支持部３４より下側にさらに突出するため、台座部３０の下側から上側に移動する熱風７０は、第１支持部３４の下側に沿って回転して旋風を形成する。
【０１８９】
ハウジング部５のガイド突起１８を通過して形成された旋風の方向と、第１支持部３４の下側を通過して形成された旋風の方向とは同一であるため、熱風７０がハウジング部５の内側に旋風を形成して、調理対象物６０と接する時間が増大する。
【０１９０】
第１支持部３４に形成された第１連結孔３５と、第２支持部３６に形成された第２連結孔３７は、円周方向に設けられる。
【０１９１】
台座中央部３３を中心として円弧を形成して第１連結孔３５および第２連結孔３７が設けられ、台座中央部３３と台座周縁部３２との間に複数の第１連結孔３５および第２連結孔３７が設けられる。
【０１９２】
第２支持部３６は、台座中央部３３を中心として円弧形状に設けられ、上側に向かって膨らんだ形状に形成される支持曲面部材３８を含む。
【０１９３】
支持曲面部材３８は、上側に向かって膨らんだ形状に形成され、支持曲面部材３８の下側は、凹んだ形状に形成される。したがって、支持曲面部材３８の上側に乗せられた調理対象物６０から流れ出た流体は支持曲面部材３８に沿って下側に落下するため、第２支持部３６の表面の掃除作業が簡便に行われる。
【０１９４】
また、支持曲面部材３８の下側に供給された熱風７０が支持曲面部材３８の凹んだ溝に留まるため、熱風７０と支持曲面部材３８との接する時間が増大して支持曲面部材３８の加熱が容易に行われるため、調理対象物６０の調理時間を短縮させることができる。
【０１９５】
台座周縁部３２に結合されるカバー部材３９は、ゴムやシリコンを含んで成形されるため、電子レンジの内側に設けられた台座部３０の周縁で発生し得るスパークを防止することができる。
【０１９６】
第３実施形態にかかる台座部３０は、アルミニウムにテフロン（登録商標）をコーティングして使用する。
【０１９７】
アルミニウムは熱伝導度が高いため、調理対象物６０の加熱が迅速に行われ、テフロン（登録商標）は食物が台座部３０にくっつく現象を防止することができる。
【０１９８】
カバー部材３９は、シリコンを使用するため、アルミニウムからなる台座部３０と、鉄板からなる台座部３０との間に設けられ、スパークの発生を防止する。
【０１９９】
図１４に示されるように、脚部４０は、ハウジング部５の外側に固定されるワイヤ形状の脚フレーム４２と、脚フレーム４２を取り囲む形状に設けられる脚カバー４５とを含む。
【０２００】
脚フレーム４２は、鉄骨構造からなり、脚フレーム４２の外側を取り囲む形状に設けられる脚カバー４５は、シリコンを含んで形成される。
【０２０１】
第３実施形態にかかる脚フレーム４２は、ハウジング部５の下側に固定される固定部材４３と、固定部材４３の両側から下側に延びる延長部材４４とを含む。
【０２０２】
ハウジング部５の下側から下方傾斜して設けられる延長部材４４に脚カバー４５が結合されるため、延長部材４４の外側に脚カバー４５が固定される。
【０２０３】
図１４と図１７に示されるように、電子調理器具用調理容器３は、電子調理器具５０のトレイに載せられて回転するため、調理対象物６０を均一に加熱することができる。
【０２０４】
電子調理器具５０は、熱風７０を供給する熱風供給部５４を含む。
【０２０５】
電子調理器具用調理容器３は、電子調理器具５０のトレイに設けられ、電子調理器具用調理容器３の後側に熱風供給部５４が設けられる。
【０２０６】
熱風供給部５４で発生した熱風７０は、電子調理器具用調理容器３の下側に移動してハウジング部５の内側に移動する。
【０２０７】
第３実施形態にかかる電子調理器具５０は、熱風供給部５４を具備したコンベクション電子レンジが使用される。
【０２０８】
台座部３０の上側を覆う蓋部８０は、台座部３０の上側に移動する熱風７０の移動を遮断する技術思想内で多様な形状に形成できる。
【０２０９】
一実施形態にかかる蓋部８０は、台座部３０の上側を遮蔽するドーム形状の蓋体８２と、蓋体８２の上側に延びる取っ手部材８６とを含む。
【０２１０】
蓋体８２は、ドーム形状に形成されるため、台座部３０を覆って、電子調理器具用調理容器３の外側に移動する熱風７０の移動を遮断することができる。
【０２１１】
また、蓋体８２の内側に熱風７０が留まり得る空間を形成するため、調理対象物６０の加熱時間を短縮させることができる。
【０２１２】
蓋体８２の下側には、弾性材質からなる台座部３０の周縁に接する接合部材８４が具備されるため、熱風７０の移動を遮断することができる。
【０２１３】
接合部材８４は、蓋体８２の下側から外側に向かって突出した形状に設けられ、接合部材８４の下側は、台座部３０のカバー部材３９に接して設けられるため、気密性を向上させる。
【０２１４】
以下では、添付した図面を参照して、本発明の第３実施形態にかかる電子調理器具用調理容器３の作動状態を詳細に説明する。
【０２１５】
電子調理器具５０の内側に電子調理器具用調理容器３を装着した後、熱風供給部５４を動作させる。
【０２１６】
熱風供給部５４で発生した熱風７０は、ハウジング本体１０の側方向に移動したり、ハウジング本体１０の下側に移動する。
【０２１７】
ハウジング側面部１２に沿ってハウジング本体１０の下側に案内された熱風７０は、ハウジング内側部１６の流入空間部１７に移動する。
【０２１８】
ハウジング内側部１６に沿って上側に移動する熱風７０は、ハウジング内側部１６の内側に突出したガイド突起１８によって案内されて回転しながら旋風を形成する。
【０２１９】
ハウジング本体１０の内側に流入した熱風７０は、台座部３０の下側に形成された第１支持部３４の下側に沿って再び回転しながら旋風を形成するため、熱風７０によって台座体部３１と調理対象物６０との接する時間が増大して熱効率が向上し、調理対象物６０の調理時間も短縮する。
【０２２０】
また、台座部３０の下側から上側に移動する熱風７０は、第２支持部３６に具備された支持曲面部材３８の下側に留まりながら熱風７０と台座体部３１との接する時間が増大し、台座体部３１の加熱が容易に行われる。
【０２２１】
一方、調理対象物６０を加熱し台座部３０の上側に移動した熱風７０は、蓋部８０の内側に反射した後、再び蓋部８０の下側に移動しながら調理対象物６０を二次加熱するため、調理時間を短縮させることができる。
【０２２２】
そして、調理対象物６０を加熱し上側に移動した熱風７０が蓋部８０の内側に留まりながら蓋部８０の内側温度を高めるため、蓋部８０の下側にある調理対象物６０の調理時間が短縮する。
【０２２３】
以下、図面を参照して、本発明の第４実施形態にかかる電子調理器具用調理容器を説明する。
【０２２４】
説明の便宜のために、本発明の第２実施形態と構成および作用が同一の構成要素については同一の参照番号で引用し、これに関する詳細な説明は省略する。
【０２２５】
図１９は、本発明の第４実施形態にかかる電子調理器具用調理容器を概略的に示す分解斜視図であり、図２０は、本発明の第４実施形態にかかる電子調理器具用調理容器が電子調理器具の内側に設けられた状態を概略的に示す図である。
【０２２６】
図１９と図２０に示されるように、本発明の第４実施形態にかかる電子調理器具用調理容器４は、熱風７０の流入が行われる入口部２４が側面に具備されるハウジング部５と、ハウジング部５に置かれ、熱風７０によって調理される調理対象物６０が置かれる台座部３０と、台座部３０を覆って熱風７０の移動を遮断する蓋部８０とを含む。
【０２２７】
ハウジング部５は、ハウジング本体２０と、脚部４０とを含み、ハウジング本体２０の内側に熱風７０を供給する入口部２４は、ハウジング本体２０の側面に沿って具備される。ハウジング本体２０の上側は開口した形状に形成され、ハウジング本体２０の下側は脚部４０によって支持される。
【０２２８】
第４実施形態にかかるハウジング本体２０は、ハウジング側面部２２と、ハウジング底面部２５と、内側ガイド２６とを含む。
【０２２９】
ハウジング本体２０の側面を形成するハウジング側面部２２は、台座部３０の周縁を支持し、下側に延びるリング形状に形成される。
【０２３０】
ハウジング側面部２２の周りに沿って設けられた入口部２４は、ハウジング側面部２２の内側に熱風７０が移動する通路を形成する。
【０２３１】
入口部２４は、水平方向に長孔を形成し、このような入口部２４がハウジング側面部２２に沿って複数個設けられる。
【０２３２】
ハウジング側面部２２の下側に水平方向に設けられるハウジング底面部２５は、ハウジング本体２０の底面を形成する。
【０２３３】
入口部２４の上側は、ハウジング本体２０の側方向から熱風７０を供給する熱風供給部５４と同一または低い位置に設けられるため、熱風７０が入口部２４の内側に容易に流入できる。
【０２３４】
熱風供給部５４から水平方向に供給される熱風７０の一部は、ハウジング本体２０の側面に形成された入口部２４を介してハウジング本体２０の内側に移動し、入口部２４の上側に移動する熱風７０は、ハウジング側面部２２の曲面に沿ってハウジング側面部２２の下側に移動しながら入口部２４の内側に流入するため、熱風７０による調理対象物６０の加熱時間が短縮する。
【０２３５】
ハウジング側面部２２の内側に連結された内側ガイド２６は、ハウジング側面部２２の内側に延び、入口部２４を介して流入する熱風７０の移動を案内する技術思想内で多様な形状に形成できる。
【０２３６】
第４実施形態にかかる内側ガイド２６は、入口部２４の一側からハウジング側面部２２の内側に向かって水平方向に傾斜して設けられる。
【０２３７】
入口部２４の内側に流入した熱風７０は、内側ガイド２６によって案内されて旋風を形成し、これによって、熱風７０と調理対象物６０との接触面積および接触時間が増大する。
【０２３８】
蓋体８２は、ドーム形状に形成されるため、台座部３０を覆って、電子調理器具用調理容器４の外側に移動する熱風７０の移動を遮断することができる。
【０２３９】
また、蓋体８２の内側に熱風７０が留まり得る空間を形成するため、調理対象物６０の加熱時間を短縮させることができる。
【０２４０】
蓋体８２の下側には、弾性材質からなる台座部３０の周縁に接する接合部材８４が具備されるため、熱風７０の移動を遮断することができる。
【０２４１】
接合部材８４は、蓋体８２の下側から外側に向かって突出した形状に設けられ、接合部材８４の下側は、台座部３０のカバー部材３９に接して設けられるため、気密性を向上させる。
【０２４２】
以下では、添付した図面を参照して、本発明の第４実施形態にかかる電子調理器具用調理容器４の作動状態を詳細に説明する。
【０２４３】
熱風供給部５４で発生した熱風７０は、ハウジング本体２０の側方向に移動し、ハウジング側面部２２の曲面に沿って移動する熱風７０は、入口部２４を介してハウジング本体２０の内側に移動する。
【０２４４】
入口部２４を介してハウジング本体２０の内側に移動する熱風７０は、内側ガイド２６によって移動が案内されながらハウジング本体２０の内側で回転する。
【０２４５】
ハウジング本体２０の内側で旋風を形成する熱風７０は、台座部３０の下側に形成された第１支持部３４の下側に沿って再び回転しながら旋風を形成するため、熱風７０によって台座体部３１と調理対象物６０との接する時間が増大して熱効率が向上し、調理対象物６０の調理時間も短縮する。
【０２４６】
また、台座部３０の下側から上側に移動する熱風７０は、第２支持部３６に具備された支持曲面部材３８の下側に留まりながら熱風７０と台座体部３１との接する時間が増大し、台座体部３１の加熱が容易に行われる。
【０２４７】
一方、調理対象物６０を加熱し台座部３０の上側に移動した熱風７０は、蓋部８０の内側に反射した後、再び蓋部８０の下側に移動しながら調理対象物６０を二次加熱するため、調理時間を短縮させることができる。
【０２４８】
そして、調理対象物６０を加熱し上側に移動した熱風７０が蓋部８０の内側に留まりながら蓋部８０の内側温度を高めるため、蓋部８０の下側にある調理対象物６０の調理時間が短縮する。
【０２４９】
上述のような構成によれば、第１、第２、第３、第４実施形態にかかる電子調理器具用調理容器１、２、３、４は、熱風７０を利用して台座部３０に載せられた調理対象物６０を加熱させて揚げ物料理をするため、油の使用による安全事故の危険性を低減することができ、調理費用を節減することができる。
【０２５０】
また、ハウジング部５の内側に流入した熱風７０が螺旋状に回転しながら調理対象物６０を加熱するため、熱風７０と調理対象物６０との接する時間が増大し、調理時間を短縮させることができる。
【０２５１】
さらに、調理対象物６０の下部を支持する支持曲面部材３８が上側に膨らんで形成され、調理対象物６０と台座部３０との間の接触面積が減少するため、熱風７０と調理対象物６０との接する接触面積が増大し、調理時間を短縮させることができる。
【０２５２】
また、ハウジング本体１０、２０の内側から台座部３０を介して上側に移動した熱風が蓋部８０の内側に留まる時間が増加するため、調理対象物６０の加熱時間が短縮し、調理費用を節減することができる。
【０２５３】
本発明は、図面に示された実施形態を参照して説明されたが、これは例示的なものに過ぎず、当該技術の属する分野における通常の知識を有する者であれば、これより多様な変形および均等な他の実施形態が可能である点を理解することができる。
【０２５４】
また、熱風発生用電子レンジに設けられた電子調理器具用調理容器を例に挙げて説明したが、これは例示的なものに過ぎず、熱風を供給する他の種類の調理機器にも本発明にかかる電子調理器具用調理容器が使用可能である。
【０２５５】
したがって、本発明の真の技術的保護範囲は特許請求の範囲によって定められなければならない。
【符号の説明】
【０２５６】
１、２、３、４：電子調理器具用調理容器
５：ハウジング部
１０、２０：ハウジング本体
１２、２２：ハウジング側面部
１４、２４：入口部
１５、２５：ハウジング底面部
１６：ハウジング内側部
１７：流入空間部
１８：ガイド突起
２６：内側ガイド
３０：台座部
３１：台座体部
３２：台座周縁部
３３：台座中央部
３４：第１支持部
３５：第１連結孔
３６：第２支持部
３７：第２連結孔
３８：支持曲面部材
３９：カバー部材
４０：脚部
４２：脚フレーム
４３：固定部材
４４：延長部材
４５：脚カバー
４６：カバー体
４７：装着溝
４８：遮蔽溝部
５０：電子調理器具
５２：上部ヒータ部
５４：熱風供給部
６０：調理対象物
７０：熱風
８０：蓋部
８２：蓋体
８４：接合部材
８６：取っ手部材
【図１】
2014217737.tif 000003
【図２】
2014217737.tif 000004
【図３】
2014217737.tif 000005
【図４】
2014217737.tif 000006
【図５】
2014217737.tif 000007
【図６】
2014217737.tif 000008
【図７】
2014217737.tif 000009
【図８】
2014217737.tif 000010
【図９】
2014217737.tif 000011
【図１０】
2014217737.tif 000012
【図１１】
2014217737.tif 000013
【図１２】
2014217737.tif 000014
【図１３】
2014217737.tif 000015
【図１４】
2014217737.tif 000016
【図１５】
2014217737.tif 000017
【図１６】
2014217737.tif 000018
【図１７】
2014217737.tif 000019
【図１８】
2014217737.tif 000020
【図１９】
2014217737.tif 000021
【図２０】
2014217737.tif 000022